(57)【要約】【課題】  厨房内における人目に付きやすくかつ邪魔にならないところに消火シートを常置できるようにして、緊急時に迅速かつ容易に消火作業を行うことができる消火シートケースを提供する。【解決手段】  本発明に係る消火シートケース２３は、不燃性又は難燃性の消火シート２２を内部に収納可能でかつ厨房の壁面２又は上部設備８に取り付け可能なケース本体２４と、このケース本体２４の開口部を開閉自在に閉塞する蓋部材２５とを備えていることを特徴とする。【選択図】  図１
2005185813.tif 000002
【特許請求の範囲】
【請求項１】
不燃性又は難燃性の消火シートを内部に収納可能でかつ厨房の壁面又は上部設備に取り付け可能なケース本体と、このケース本体の開口部を開閉自在に閉塞する蓋部材とを備えていることを特徴とする消火シートケース。
【請求項２】
ケース本体は開口部を下方に向けた状態で厨房の上部設備の下面に取り付けられており、蓋部材は同ケース本体の開口縁部に上下揺動自在に枢着されている請求項１に記載の消火シートケース。
【請求項３】
高さ寸法が幅寸法及び奥行き寸法よりも小さい扁平な箱体状に形成されている請求項２に記載の消火シートケース。
【請求項４】
プッシュ操作によって蓋部材を開放することができる操作部材が当該蓋部材又はケース本体の下面に設けられている請求項２又は３に記載の消火シートケース。
【請求項５】
消火用の注意喚起表示がケース本体の前面に記載されている請求項２〜４のいずれかに記載の消火シートケース。
【請求項６】
ケース本体は開口部を下方に向けた状態で厨房の上部設備の底壁部分に形成された彫り込み部に埋設されており、蓋部材は同ケースの開口縁部に上下揺動自在に枢着されている請求項１に記載の消火シートケース。
【請求項７】
ケース本体は開口部を手前に向けた状態で厨房の上部設備の下面に取り付けられた抽斗枠よりなり、蓋部材はその抽斗枠に前後方向に出退自在に設けられた抽斗よりなる請求項１に記載の消火シートケース。
【請求項８】
地震の揺れによって蓋部材を自動的に開放する地震感知手段が設けられている請求項１〜７のいずれかに記載の消火シートケース。
【請求項９】
不燃性又は難燃性の消火シートを内部に収納可能でかつ厨房の上部設備の下面に取り付け可能なケース本体よりなり、このケース本体は、人手で破ることができるネット又は袋部材若しくは前記消火シートを手前に引き出すことができる開口部を有する扁平な箱体より構成されていることを特徴とする消火シートケース。
【請求項１０】
厨房の壁面に固定された吊り戸棚等よりなる厨房の上部設備と、前記厨房の壁面又は前記上部設備に取り付けられた請求項１〜９のいずれかに記載の消火シートケースとを備えているシステムキッチン。
【発明の詳細な説明】
【技術分野】
【０００１】  本発明は、内部に消火シートが収納された消火シートケースとこのケースを有するシステムキッチンに関する。
【背景技術】
【０００２】  従来、例えば厨房での火災の初期消火を行う方法として、消化器から泡や粉末等の化学消火剤をコンロの鍋等の火元に放出して消火する場合と、超吸水性繊維等の不燃性ないし難燃性の消火シートをコンロの鍋等の火元に覆い被せて消火する場合（特許文献１参照）とが知られている。
【特許文献１】  実開昭６１−１１５５６３号公報
【発明の開示】
【発明が解決しようとする課題】
【０００３】  上記従来の消火方法のうち、消化器を使用する前者の場合には、家庭では消火器の操作に慣れていないことが多いし、また、いざ出火した時には気が動転して慌てることが多いため、消火器の操作に手間取って消火作業が遅れる可能性が大きい。また、消火器は緊急時以外は殆ど使用することがなく、しかも、比較的大きな設置スペースが必要となることから、消化器を厨房に設置すると炊事等の台所仕事の邪魔になることが多い。更に、台所仕事の邪魔になることから、消化器を収納棚の奥の方にしまい込んでしまうことも多い。【０００４】  これに対して、消火シートを使用する後者の場合は、出火している油鍋等の火元に消火シートを上から被せて消火するものであるから、その操作が簡単で素早く消火作業を行うことができるという利点がある。しかし、かかる消火シートも日頃は使用することがないので、厨房の人目に付きやすい場所に常置しておくと台所仕事の邪魔になる一方で、収納棚等の奥にしまい込んでしまうと、いざ発火という時に収納場所が分からず、初期消火に間に合わないという事態になりかねない。【０００５】  そこで、本発明の課題は、厨房内における人目に付きやすくかつ邪魔にならないところに消火シートを常置できるようにして、緊急時に迅速かつ容易に消火作業を行うことができる消火シートケースとこれを用いたシステムキッチンを提供する点にある。
【課題を解決するための手段】
【０００６】  上記課題を達成するため、本発明は次の解決手段を講じた。
すなわち、本発明に係る消火シートケースは、不燃性又は難燃性の消火シートを内部に収納可能でかつ厨房の壁面又は上部設備に取り付け可能なケース本体と、このケース本体の開口部を開閉自在に閉塞する蓋部材とを備えていることを特徴とする。
本発明に係る消火シートケースによれば、不燃性又は難燃性の消火シートを内部に収納可能なケース本体を厨房の壁面又は上部設備に取り付けて使用するので、厨房内における人目に付きやすくかつ邪魔にならないところに消火シートを常置することができる。【０００７】  本発明において、厨房の壁面又は上部設備であればケース本体の取付位置は特に限定されないが、かかるケース本体は開口部を下方に向けた状態で厨房の上部設備の下面に取り付けられ、かつ、蓋部材は同ケース本体の開口縁部に上下揺動自在に枢着されていることが好ましい。この場合には、蓋部材を開けると同時に消火シートがケース本体の開口部から自然に飛び出すようになるので、消火作業の迅速性をより向上させることができる。【０００８】  また、本発明において、台所作業の邪魔にならない大きさであれば消火シートケースの形状や大きさは特に限定されないが、かかるケースは高さ寸法が幅寸法及び奥行き寸法よりも小さい扁平な箱体状に形成されていることが好ましい。この場合には、消火シートケースを上部設備の下面に取り付けても台所作業に邪魔になることがまったくなく、しかも、上部設備の下面はほぼ人の目の高さに位置しているので、消火シートケースを人目に付く位置に常置することができる。【０００９】  更に、本発明において、プッシュ操作によって蓋部材を開放することができる操作部材を当該蓋部材又はケース本体の下面に設けるようにすれば、いざ発火という時の蓋部材の開放を極めて簡便に行うことができ、消火作業の迅速性をより向上させることができる。また、本発明において、消火用の注意喚起表示をケース本体の前面に記載しておけば、ぼ人の目の高さに常に消火用の注意喚起表示が位置することになるので、いざ発火という時に消火シートの場所が分からず、初期消火に間に合わないという事態を極力防止することができる。【００１０】  本発明において、前記ケース本体は開口部を下方に向けた状態で厨房の上部設備の底壁部分に形成された彫り込み部に埋設され、かつ、蓋部材は同ケース本体の開口縁部に上下揺動自在に枢着されていることが好ましい。この場合にも、蓋部材を開けると同時に消火シートケースがケース本体の開口部から自然に飛び出すようになるので、消火作業の迅速性が確保されるとともに、ケース本体が上部設備の底壁部分に形成された彫り込み部に埋設されるため、上部設備の下面からのケース本体の突出量がより小さくなって上部設備の下方スペースをできるだけ広く確保できるという利点がある。【００１１】  また、本発明において、ケース本体を、開口部を手前に向けた状態で厨房の上部設備の下面に取り付けられた抽斗枠より構成し、蓋部材を、その抽斗枠に前後方向に出退自在に設けられた抽斗より構成することもできる。
更に、本発明において、地震の揺れによって蓋部材を自動的に開放する地震感知手段を設けておけば、地震の際に使用者が蓋部材を開けなくても消火シートを取り出せるようになるので、消火作業の迅速性をより向上させることができる。【００１２】  また、本発明に係る他の消火シートケースは、不燃性又は難燃性の消火シートを内部に収納可能でかつ厨房の上部設備の下面に取り付け可能なケース本体よりなり、このケース本体は、人手で破ることができるネット又は袋部材若しくは前記消火シートを手前に引き出すことができる開口部を有する扁平な箱体より構成されていることを特徴とする。
かかる消火シートケースの場合にも、不燃性又は難燃性の消火シートを内部に収納可能なケース本体を上部設備の下面に取り付けて使用するので、厨房内における人目に付きやすくかつ邪魔にならないところに消火シートを常置することができる。【００１３】  また、かかる消火シートケースによれば、人手で破ることができるネット又は袋部材若しくは前記消火シートを手前に引き出すことができる開口部を有する扁平な箱体より構成されているため、蓋部材を設ける必要がなくなって製造コストを低減できるという利点がある。
【発明の効果】
【００１４】  上述の通り、本発明によれば、厨房内における人目に付きやすくかつ邪魔にならないところに消火シートを常置することができるので、緊急時に迅速かつ容易に消火作業を行うことができる。
【発明を実施するための最良の形態】
【００１５】  以下、図面に基づいて、本発明の実施形態について説明する。
図１及び図２は、消火シートとその収納ケースよりなる消火装置を有するシステムキッチンを示している。このシステムキッチン１は、厨房内の壁面２に沿って配置される流し台３やフロアキャビネット４等よりなる下部設備５と、その上側の天井近傍に取り付けられるレンジフード６や吊り戸棚７等よりなる上部設備８とを備えている。
そのうち、下部設備５の上面は、レンジ９や流し台３のシンク１０が設けられた個所を除いて一枚の天板１１で覆われており、その内部には、食器や台所用品等の収納部（図示せず）が設けられていたり、或いは、オーブンや食器洗い乾燥機などの厨房機器（図示せず）が組み込まれている。【００１６】  下部設備５のレンジ（コンロ）９が設けられた個所の上方には、上部設備８のレンジフード６が配置されていて、このレンジフード６により、調理時に発生した煙や蒸気等を吸い込んで屋外に排出するようにしている。このように、システムキッチン１は、食器や調理器具等の台所用品の収納場所を確保するとともに、調理や食器洗いなどの台所仕事が効率的に行えるように、種々の厨房機器を機能的及び体系的に配置したものである。【００１７】  本実施形態のシステムキッチン１では、壁面２における下部設備５と上部設備８の間の部分に、板状の棚部１２，１３が手前に突出した状態で設けられている。なお、壁面２は不燃材のキッチンパネルやタイル等の従来公知の材料で構成され、棚部１２，１３は、この壁面２を構成した部材に一体形成されたものであっても、接着やねじ止めなどの手段で後付けされたものであっても良い。【００１８】  吊り戸棚７の下面７Ａには、壁面２から所定距離だけ離れて壁面２と平行なガイドレール１４が取り付けられ、このガイドレール１４に、板状の引き戸よりなるスライド扉１５，１６が移動可能に吊り下げ支持されている。このスライド扉１５，１６は、高さが上部設備８と下部設備５の間の間隔よりやや短い寸法で、かつ、幅が棚部１２，１３の横幅とほぼ等しい寸法になっている。従って、このスライド扉１５，１６は各棚部１２，１３を前方から見えないように覆うことができる。【００１９】  図１に示すように、下部設備５は壁面２との間に所定の間隙１７を有して設置されており、その下部設備５の後部上端には、当該間隙１７を塞ぐように横長の載置部１８が設けられている。なお、この間隙１７は、下部設備１の配管スペース等として利用される。また、下部設備５の側面が外部に開放される場合は、間隙１７の開放部分はサイドパネル（図示せず）によって閉塞される。【００２０】  図１に示すように、本実施形態の消火装置２１は、油鍋等の火元に覆い被せて使用する消火シート２２と、その収納部である消火シートケース２３とから構成されている。図３及び図４に示すように、この消火シートケース２３は、不燃性又は難燃性の消火シート２２を内部に収納可能でかつ上部設備８を構成する吊り戸棚７の下面７Ａに取り付けれた硬質プラスチック等の合成樹脂材料よりなるケース本体２４と、このケース本体２４の開口部を開閉自在に閉塞する同ケース本体２４と同質の合成樹脂材料よりなる蓋部材２５とを備えている。【００２１】  上記消火シートケース２３は、平面視ほぼ正方形状であり、しかも、高さ寸法が幅寸法及び奥行き寸法よりも小さい扁平な箱体よりなり、ケース本体２４は下方に開口する開口部を備えている。なお、消火シートケース２３の高さ寸法を概ね５０ｍｍ以下に設定しておけば、台所作業の支障になることはない。
本実施形態では、ケース本体２４は、その開口部を下方に向けた状態で吊り戸棚７の下面７Ａに取り付けられ、蓋部材２５の枢着部２６を後端部に有する。他方、蓋部材２５は、ケース本体２４とほぼ同じ平面形状のプレート体よりなり、その後端部に設けた回動ピン２７を上記枢着部２６に回動自在に挿通することにより、ケース本体２４の開口縁部に上下揺動自在に枢着されている。【００２２】  また、ケース本体２４の前端部には、蓋部材２５に対する引っ掛けフック２８を一体に有する解除プレート２９がシャフト３０を介して上下揺動自在に枢着されている。この解除プレート３０は、フック２８が常に引っ掛け位置になるようにばね部材３１によって下方に付勢されている。他方、蓋部材２５の前端部中央部分には、上記解除プレート２９を上方へ回動させるための円形のプッシュボタン３２が上下動自在に貫通されており、このプッシュボタン３２の下端部は湾曲形状に形成されており、蓋部材２５の下面側に露出している。【００２３】  従って、蓋部材２５に設けた上記プッシュボタン３２を上方にプッシュ操作すると、ばね部材３１に抗して解除プレート２９が上方に揺動し、これによって引っ掛けフック２８が解除方向に回動して蓋部材２５に対するロックを解除し、蓋部材２５の前端部が自重で下方に揺動してケース本体２４の開口部が開かれ、その内部の消火シート２２が自然に外部に飛び出すようになっている。
なお、蓋部材２５の内面には、消火シート２２を内部に収納できる広さに区画された囲み壁部３３が一体に形成されている。また、ケース本体２４の前面２４Ａに消火用の注意喚起表示（図示せず）を記載することにより、いざ発火という時に消火シート２２の場所が分からず、初期消火に間に合わないという事態を極力防止するようにしている。【００２４】  他方、図５〜図７に示すように、本実施形態の消火シート２２は、不燃性又は難燃性でかつ可撓性を有するシート本体３５と、このシート本体３５の外周縁部に取り付けられた複数の重り部材３６とを備えている。シート本体３５はほぼ正方形状（長方形状でもよい）に形成されており、重り部材３６は当該シート本体３５のコーナー部のみに配置されている。この重り部材３６はほぼ直角三角形状の金属プレートよりなり、このプレートとシート本体３５とをともに貫通する止めピン３７（図７参照）を介してシート本体３５のコーナー部に固定されている。【００２５】  上記消火シート２２は、図６（ａ）に示すようにまず二つ折りに重ね合わされ、その後、図６（ｂ）に示すように更に三つ折りに重ね合わされ、展開状態（図５の状態）に比べて６分の１の面積に折り畳まれ、この状態で消火シートケース２３の内部に収納されるようになっている。なお、シート本体３５の材質としては、不燃性のガラス繊維や難燃性のアラミド繊維等よりなる織布又は不織布によって構成することができ、また、従来例（実開昭６１−１１５５６３号公報）のように超吸水性繊維で構成することもできる。また、図７（ｂ）に示すように、シート本体３５を表裏二重に重ね合わせ、その間に重り部材３６を挟み込むようにすることもできる。【００２６】  上記構成に係る消火装置２１を有するシステムキッチン１によれば、不燃性又は難燃性の消火シート２２が内部に収納されている消火シートケース２３を吊り戸棚７の下面７Ａに取り付けるようにしたので、厨房内における人目に付きやすくかつ邪魔にならないところに消火シート２２を常置することができ、緊急時に迅速かつ容易に消火作業を行うことができる。
また、本実施形態の消火シートケース２３では、ケース本体２４の開口部を下方に向けた状態で厨房の吊り戸棚７の下面７Ａに取り付けられ、かつ、蓋部材２５が同ケース本体２４の開口部に上下揺動自在に枢着されているので、蓋部材２５を開けると同時に消火シート２２がケース本体２４の開口部から自然に飛び出し、これによって消火作業の迅速性がより向上される。【００２７】  更に、本実施形態の消火シートケース２３では、高さ寸法が幅寸法及び奥行き寸法よりも小さい扁平な箱体状に形成されているので、吊り戸棚７の下面７Ａに取り付けても台所作業に邪魔になることがまったくなく、しかも、吊り戸棚７の下面７Ａはほぼ人の目の高さに位置しているので、消火シートケース２３が人目に付く位置に常置されることになって、いざ発火という時にユーザーが消火シート２２の収納場所を忘れて慌てるのを未然に防止することができる。【００２８】  また、本実施形態の消火シートケース２３では、プッシュ操作によって蓋部材２５を開放することができる操作部材（プッシュボタン３２）が当該蓋部材２５の下面に設けられているので、いざ発火という時の蓋部材２５の開放を極めて簡便に行うことができ、この点で消火作業の迅速性をより向上させることができるという利点もある。なお、かかるプッシュ操作による操作部材３２はケース本体２４の下面に設けることにしてもよい。【００２９】  一方、本実施形態の消火シート２２によれば、シート本体３５の外周縁部に複数の重り部材３６が取り付けられているので、例えば火元から勢いよく火炎が吹き上げているような場合でも、その火炎から受けた浮力で消火シート２２の縁部が捲れ上がるのが防止され、消火シート２２を火元に対して適切に覆い被せることができる。このため、油鍋等が急に発火したような緊急時においても、迅速な消火作業を容易に行うことができる。【００３０】  また、本実施形態の消火シート２２では、シート本体３５がほぼ長方形又は正方形に形成されており、しかも、重り部材３６が当該シート本体３５のコーナー部のみに配置されているので、シート本体３５をどのように折り畳んでも重り部材３６の存在が邪魔になることがない。このため、シート本体３５を可及的にコンパクトに折り畳むことで消火シート２２の収納スペースを小さくすることができる。【００３１】  なお、本発明は上記実施形態に限定されるものではない。
例えば、前記消火シートケース２３は、吊り戸棚７の下面７Ａだけでなく、その他の上部設備８の外側面や厨房の壁面２に取り付けるようにすることもできる。
また、前記消火シート２２は、厨房機器の消火用としてだけでなく、石油ストーブ等のその他の室内火元の消火用として使用することもできる。【００３２】  図７及び図９は、本発明の第二実施形態の消火シートケース２３を示している。
本実施形態の消火シートケース２３が第一実施形態の消火シートケース２３（図３及び図４）と異なるところは、プッシュボタン３２が円形ではなく、ケース本体２４の全幅よりもやや短い左右方向に長い帯状に形成されている点にあり、その他の構成は第一実施形態の場合と同様である。
かかる長い帯状に形成されたプッシュボタン３２を採用した場合には、手指をプッシュボタン３２によりいっそうアクセスし易くなるので、使用者が咄嗟の際に蓋部材２５の開放作業に手間取るのを防止することができる。【００３３】  図１０は、本発明の第三実施形態の消火シートケース２３を示している。
本実施形態の消火シートケース２３が第一実施形態の消火シートケース２３（図３及び図４）と異なるところは、ケース本体２４がその開口部を下方に向けた状態で厨房の上部設備８を構成要素である吊り戸棚７の底壁部分に形成された彫り込み部３８に埋設されている点にあり、その他の構成は第一実施形態の場合と同様である。
このように、本実施形態の消火シートケース２３では、ケース本体２４が吊り戸棚７の底壁部分に形成された彫り込み部３８に埋設されているため、吊り戸棚７の下面からのケース本体２４の突出量がより小さくなり、上部設備８の下方スペースをできるだけ広く確保することができる。【００３４】  従って、本実施形態の場合には、消火シートケース２３の下面を吊り戸棚７の下面とほぼ面一になるように彫り込み部３８に埋設し、プッシュボタン３２のみを吊り戸棚７の下面から突出させることが好ましい。
なお、長い帯状のプッシュボタン３２を採用した前記第二実施形態の消火シートケース２３を、吊り戸棚７底壁部分の彫り込み部３８に埋設することにしてもよい。【００３５】  図１１は、本発明の第四実施形態の消火シートケース２３を示している。
本実施形態の消火シートケース２３が第一実施形態の消火シートケース２３（図３及び図４）と異なるところは、ケース本体２４が、開口部を手前（図１１の右側）に向けた状態で吊り戸棚７下面に取り付けられた抽斗枠よりされており、蓋部材２５が、その抽斗枠に前後方向に出退自在に設けられた抽斗より構成されている点にある。
そして、上記蓋部材２５として底抜けのものを採用すれば、かかる蓋部材２５の引き出しと同時に消火シート２２が下方に飛び出すようになるので、消火作業を迅速に行うことができる。もっとも、底ありの通常の抽斗を採用してもよく、この場合には、その抽斗の内部に消火シート以外の小物を収納することができる。【００３６】  図１２は、本発明の第五実施形態の消火シートケース２３を示している。
本実施形態の消火シートケース２３は、吊り戸棚７の開き戸７Ｂの内面に取り付けられており、この場合には、当該ケース２３が吊り戸棚７の内部に完全に収納されることになる。
なお、上記蓋部材２５を有するタイプの消火シートケース２３において、地震の揺れによって当該蓋部材２５を自動的に開放させる電磁式又は機械式の地震感知手段を設けることにしてもよい。この場合には、地震の際に使用者が蓋部材２５を開けなくても消火シート２２を取り出せるようになるので、消火作業の迅速性をより向上させることができる。【００３７】  図１３は、本発明の第六実施形態の消火シートケース２３を示している。
本実施形態の消火シートケース２３では、ケース本体２４が、吊り戸棚７の下面に取り付けられた人手で破ることができるネット又は袋部材より構成されている。このため、本実施形態の消火シートケース２３では、蓋部材２５が不要となるので、製造コストを大幅に低減できるという利点がある。
なお、図示していないが、上記ネット又は袋部材に代えて、消火シート２２を手前に引き出すことができる開口部を有する扁平な箱体により、当該ケース本体２３を構成することもできる。【００３８】  なお、開き戸タイプの蓋部材２５を有する消火シートケース２３の場合には、その開き戸式の蓋部材２５を左右一対設けることにより、いわゆる観音開きタイプにしてもよい。
【図面の簡単な説明】
【００３９】
【図１】  本発明の消火装置とこれを有するシステムキッチンの側面図である。
【図２】  同システムキッチンの斜視図である。
【図３】  （ａ）は消火シートケースの側面図であり、（ｂ）は同ケースの側面断面図である。
【図４】  幅方向半分を断面で示した消火シートケースの底面図である。
【図５】  消火シートの展開状態の平面図である。
【図６】  （ａ）は消火シートを二つ折りした平面図であり、（ｂ）は同シートを更に三つ折りにした平面図である。
【図７】  （ａ）は消火シートのコーナー部の断面図であり、（ｂ）は変形例に係る消火シートのコーナー部の断面図である。
【図８】  （ａ）は第二実施形態に係る消火シートケースの側面図であり、（ｂ）は同ケースの側面断面図である。
【図９】  幅方向半分を断面で示した第二実施形態に係る消火シートケースの底面図である。
【図１０】  第三実施形態の消火装置とこれを有するシステムキッチンの側面図である。
【図１１】  第四実施形態の消火装置とこれを有するシステムキッチンの側面図である。
【図１２】  第五実施形態の消火装置とこれを有するシステムキッチンの側面図である。
【図１３】  第六実施形態の消火装置とこれを有するシステムキッチンの側面図である。
【符号の説明】
【００４０】  １      システムキッチン
２      壁面
７      吊り戸棚
７Ａ    下面
８      上部設備
２１      消火装置
２２      消火シート
２３      消火シートケース
２４      ケース本体
２４Ａ    前面
２５      蓋部材
３２      プッシュボタン（操作部材）
３５      シート本体
３６      重り部材
３８      彫り込み部
【図１】
2005185813.tif 000003
【図２】
2005185813.tif 000004
【図３】
2005185813.tif 000005
【図４】
2005185813.tif 000006
【図５】
2005185813.tif 000007
【図６】
2005185813.tif 000008
【図７】
2005185813.tif 000009
【図８】
2005185813.tif 000010
【図９】
2005185813.tif 000011
【図１０】
2005185813.tif 000012
【図１１】
2005185813.tif 000013
【図１２】
2005185813.tif 000014
【図１３】
2005185813.tif 000015